(57)【要約】  かご室の側壁に固定される第１部材と、かご室の内側に、第１部材と間隔をあけて配置される第２部材と、第１部材と第２部材とを接続する第３部材と、第２部材の第１部材側に配置されて、第２部材に対して移動可能な鏡押え部材と、鏡押え部材を移動させる移動機構とを有し、第２部材の第１部材側の面と第１部材の第２部材側の面との間隔は、第３部材から離れるにしたがって小さくなっており、移動機構は、鏡押え部材を、第２部材の第１部材側の面に沿って移動させて、鏡を、鏡押え部材と第１部材との間に挟持する。
2019087399.tif 000002
【特許請求の範囲】
【請求項１】
かご室の側壁に固定される第１部材と、
前記かご室の内側に、前記第１部材と間隔をあけて配置される第２部材と、
前記第１部材と前記第２部材とを接続する第３部材と、
前記第２部材の、前記第３部材が接続される側に配置されて、前記第２部材に対して移動可能な鏡押え部材と、
前記鏡押え部材を移動させる移動機構とを有する、かご室の鏡取付器具であって、
前記第２部材の前記第３部材が接続される側の面と、前記第１部材の前記第３部材が接続される側の面との間隔は、前記第３部材から離れるにしたがって小さくなっており、
前記移動機構は、前記第２部材の前記第３部材が接続される側の面に沿って、前記鏡押え部材を前記第３部材から離れる方向に移動させることにより、鏡を、前記鏡押え部材と前記第１部材との間に挟持する、
かご室の鏡取付器具。
【請求項２】
前記側壁には、取付穴が形成されており、
前記側壁の外側には、前記取付穴と同心に配置されたナットが固着されており、
前記第１部材は、貫通穴を有し、
前記第１部材は、前記貫通穴及び前記取付穴に挿入されて前記ナットと螺合する第１のネジ部材により、前記側壁に固定される、
請求項１に記載のかご室の鏡取付器具。
【請求項３】
前記側壁には、取付穴と、前記第１部材が通過可能な開口部が形成されており、
前記第１部材は、第１のネジ穴を有し、
前記第１部材は、前記開口部を介して、前記かご室の外側に配置され、
前記第１部材は、前記取付穴に挿入されて前記第１のネジ穴と螺合する第１のネジ部材により、前記側壁に固定される、
請求項１に記載のかご室の鏡取付器具。
【請求項４】
前記移動機構は、前記第３部材に形成された第２のネジ穴と、前記第２のネジ穴と螺合する第２のネジ部材とを有し、
前記移動機構は、前記第２のネジ部材を前進させて、前記第２のネジ部材の先端を前記鏡押え部材に押しつけることによって、前記鏡押え部材を、前記第２部材の内壁に沿って移動させる、
請求項１から３のいずれか１項に記載のかご室の鏡取付器具。
【請求項５】
請求項１から４のいずれか１項に記載の鏡取付器具を用いて、かご室に鏡を取り付ける、かご室の鏡取付方法であって、
前記かご室の内側から、前記鏡取付器具の前記第１部材を前記側壁に固定し、
前記かご室の内側から、前記鏡押え部材と前記第１部材との間に鏡を挿入し、
前記かご室の内側から、前記移動機構を用いて前記鏡押え部材を移動させ、
前記鏡押え部材を前記鏡の表面に押し付けることにより、前記鏡押え部材と前記第１部材との間に、鏡を挟持する、
かご室の鏡取付方法。
【発明の詳細な説明】
【技術分野】
【０００１】
本発明は、エレベータのかご室の側壁に、鏡を取り付ける器具に関する。
【背景技術】
【０００２】
従来、エレベータのかご室に取り付けられる鏡が固定される境板は、裏面に埋め込みネジを有していた。そして、埋め込みネジをかご室の側壁の外側に貫通させ、かご室の外側からナットと螺合させることにより、鏡を側壁に取り付けていた（例えば特許文献１参照）。
【先行技術文献】
【特許文献】
【０００３】
【特許文献１】実開昭５８−１７６８７１号公報
【発明の概要】
【発明が解決しようとする課題】
【０００４】
しかしながら、従来技術には、以下のような課題がある。
従来のかご室の鏡の取り付け作業を行う作業員は、まず、鏡板をかご室内に持ち込み、埋め込みネジを、かご室の側壁の穴から外側に貫通させて、鏡板を側壁に仮設置する。そして、作業員は、かご室の外側に移動し、埋め込みネジにナットを締結して、鏡板を側壁に固定していた。このため、作業員は、かご室の中と外での作業をしなければならず、作業の効率が悪かった。【０００５】
この発明は、かかる課題を解決するためになされたもので、かご室内からの作業により、鏡を側壁に取り付け及び取り外すことが可能な、エレベータの鏡取付器具を得るものである。
【課題を解決するための手段】
【０００６】
本発明に係るかご室の鏡取付器具は、かご室の側壁に固定される第１部材と、かご室の内側に、第１部材と間隔をあけて配置される第２部材と、第１部材と第２部材とを接続する第３部材と、第２部材の第１部材側に配置されて、第２部材に対して移動可能な鏡押え部材と、鏡押え部材を移動させる移動機構とを有し、第２部材の第１部材側の面と第１部材の第２部材側の面との間隔は、第３部材から離れるにしたがって小さくなっており、移動機構は、鏡押え部材を、第２部材の第１部材側の面に沿って、第３部材から離れる方向に移動させることにより、鏡を、鏡押え部材と第１部材との間に挟持する。
【発明の効果】
【０００７】
本発明の鏡取付器具は、かご室の側壁から、かご室の内側に突出する固定部と、固定部の内側に配置される鏡押え部材とによって鏡を挟持する。そして、かご室の内側から、側壁に対して鏡を取り付け及び取り外すことを可能にしている。これにより、鏡の取り付け及び取り外し作業の効率が向上する。
【図面の簡単な説明】
【０００８】
【図１】本発明の実施の形態１におけるかご室の鏡取付器具を用いて鏡が取り付けられた、かご室の内部を示す模式図である。
【図２】図１のＩＩ−ＩＩ線に沿う断面を示す図である。
【図３】図１のＩＩＩ−ＩＩＩ線に沿う断面を示す図である。
【図４Ａ】実施の形態１の鏡取付器具を用いて鏡を側壁に取り付ける第１の手順を示す図である。
【図４Ｂ】実施の形態１の鏡取付器具を用いて鏡を側壁に取り付ける第２の手順を示す図である。
【図４Ｃ】実施の形態１の鏡取付器具を用いて鏡を側壁に取り付ける第３の手順を示す図である。
【図４Ｄ】実施の形態１の鏡取付器具を用いて鏡を側壁に取り付ける第４の手順を示す図である。
【図４Ｅ】実施の形態１の鏡取付器具を用いて鏡を側壁に取り付ける第５の手順を示す図である。
【図５】実施の形態１の鏡取付器具の配置の変形例を示す図である。
【図６】実施の形態１の鏡取付器具のカバーを示す斜視図である。
【図７】実施の形態１の鏡取付器具にカバーを取り付けた状態を示す断面図である。
【図８】実施の形態２の鏡取付器具を示す断面図である。
【図９Ａ】実施の形態２の鏡取付器具の固定部を、側壁に取り付ける第１の手順を示す図である。
【図９Ｂ】実施の形態２の鏡取付器具の固定部を、側壁に取り付ける第２の手順を示す図である。
【図９Ｃ】実施の形態２の鏡取付器具の固定部を、側壁に取り付ける第３の手順を示す図である。
【図９Ｄ】実施の形態２の鏡取付器具の固定部を、側壁に取り付ける第４の手順を示す図である。
【図１０】実施の形態１の鏡取付器具の第１変形例を示す図である。
【図１１】実施の形態２の鏡取付器具の第１変形例を示す図である。
【図１２】実施の形態１の鏡取付器具の第２変形例を示す図である。
【発明を実施するための形態】
【０００９】
以下、本発明のかご室の鏡取付器具の好適な実施の形態につき、図面を用いて説明する。
【００１０】
実施の形態１．
図１は、エレベータのかご室の内部を示す模式図である。図２は、図１のＩＩ−ＩＩ線に沿う断面図で、図３は、図１のＩＩＩ−ＩＩＩ線に沿う断面図である。
【００１１】
図１に示すように、かご室１００は、天井１１０と、複数の側壁１２０と、床面１３０とを有している。かご室１００の天井１１０には、照明１４０が配置されている。また、かご室１００の側壁１２０には、矩形の鏡１が配置されている。鏡１の４隅は、側壁１２０に固定された４つの鏡取付器具２によって支持されて、側壁１２０に固定されている。
【００１２】
図２に示すように、実施の形態１のかご室の鏡取付器具２は、Ｕ字状の固定部１０と、鏡押え部材１４と、ネジ部材１５とを有している。
【００１３】
固定部１０は、第１部材１１と、第２部材１２と、第３部材１３とにより構成されている。第１部材１１と第２部材１２とは、互いに間隔を空けて対向している。第３部材１３は、第１部材１１と第２部材１２の端部同士を接続している。
【００１４】
第１部材１１の内壁と、第３部材１３の内壁との成す角度は垂直である。これに対し、第２部材１２の内壁と、第３部材１３の内壁との成す角度は鋭角である。したがって、第１部材１１の内壁と、第２部材１２の内壁との間の距離は、第３部材から離れるにしたがって短くなっている。
【００１５】
第１部材１１は、貫通穴１１Ａを有している。かご室１００の側壁１２０には、複数の取付穴１２０Ａが形成されている。側壁１２０の外側には、各取付穴１２０Ａと同心に、ナット１７が固着されている。固定部１０は、ネジ部材１６によって側壁１２０に固定されている。ネジ部材１６は、固定部１０の内側から、第１部材１１の貫通穴１１Ａと、側壁１２０の取付穴１２０Ａを貫通して、ナット１７と螺合している。
【００１６】
鏡押え部材１４は、第２部材１２の、第１部材１１と対向する面に配置されている。鏡押え部材１４は、第１部材１１と対向する側に、鏡１に突き当てられる押圧部１４Ａを有している。また、鏡押え部材１４は、第２部材１２と対向する側に、傾斜面１４Ｂを有している。
【００１７】
第３部材１３は、ネジ穴１３Ａを有している。ネジ穴１３Ａには、ネジ部材１５が螺合されている。ネジ部材１５の先端は、鏡押え部材１４に突き当てられている。ネジ部材１５の先端と鏡押え部材１４とは、接触しているだけであって、螺合してはいない。ネジ部材１５を回転させて前進させると、鏡押え部材１４は、ネジ部材１５の先端に押されて、第２部材１２の内壁に沿って移動する。
【００１８】
第２部材１２と第１部材１１との間隔は、第３部材１３から離れるにしたがって狭くなっている。このため、第２部材１２の、第１部材１１と対向する面に沿って移動する鏡押え部材１４は、第３部材１３から離れるにしたがって、第１部材１１に近づく。
【００１９】
図３に示すように、第２部材１２の、第１部材１１と対向する面には、凹状のガイド部１２Ｂが形成されている。一方、鏡押え部材１４の傾斜面１４Ｂには、ガイド部１２Ｂと対応する形状の凸部１４Ｃが形成されている。鏡押え部材１４の凸部１４Ｃは、第２部材１２のガイド部１２Ｂに、移動可能に組み付けられている。これにより、鏡押え部材１４は、第２部材１２の内壁に沿って、第３部材１３に近接、または離反する方向へと移動可能になっている。かご室１００の鏡１は、鏡押え部材１４の押圧部１４Ａと、第１部材１１の内壁とによって挟持されている。
【００２０】
このように、実施の形態１のかご室の鏡取付器具２によれば、かご室１００の側壁１２０の外側に、側壁１２０の取付穴１２０Ａを介してナット１７が固定されている。そして、Ｕ字状の固定部１０は、かご室１００の内側から、ネジ部材１６を用いて側壁１２０のナット１７に固定されている。また、Ｕ字状の固定部１０の内側に、鏡１を押圧する鏡押え部材１４を有している。そして、固定部１０の内壁と鏡押え部材１４との間に、鏡１を挿入し、ネジ部材１５によって鏡押え部材１４を移動させて、固定部１０の内壁と鏡押え部材１４とにより、鏡１を挟持している。
【００２１】
これにより、鏡１の取り付け及び取り外しを、かご室１００の内側から行うことができる。したがって、鏡１を側壁１２０に取り付ける際に、側壁１２０の外側と内側を行き来する必要がなくなる。よって、側壁１２０への鏡１の取り付け及び取り外し作業の効率を向上させることができる
【００２２】
次に、実施の形態１のかご室の鏡取付器具２を用いて、かご室１００の内部から、側壁１２０に鏡１を取り付ける手順を、図４Ａ〜図４Ｅを用いて説明する。
【００２３】
最初に、図４Ａに示すように、鏡１の下部を固定する固定部１０を、側壁に取り付ける。まず、第１部材１１の貫通穴１１Ａにネジ部材１６を挿入する。次に、第２部材１２に形成された貫通穴１２Ａを介して工具２００を差し込み、ネジ部材１６を側壁１２０に固定されたナット１７と螺合させる。このとき、ネジ部材１５は、先端が固定部１０の内壁から突出しない位置まで後退させる。そして、鏡押え部材１４は、鏡１と干渉しないように、第３部材１３に接触する位置まで押し込んでおく。
【００２４】
次に、図４Ｂに示すように、鏡押え部材１４の押圧部１４Ａと、第１部材１１との間に、鏡１を挿入する。そして、鏡１が落下しないように、固定部１０によって仮保持する。
【００２５】
次に、図４Ｃに示すように、鏡１の上部を固定する固定部１０の、鏡押え部材１４の押圧部１４Ａと、第１部材１１との間に、鏡１の上部を挿入する。そして、鏡１の上部に形成された鏡取付穴１Ａと、第１部材１１の貫通穴１１Ａの位置を合せる。次に、第１部材１１の貫通穴１１Ａにネジ部材１６を挿入する。第２部材１２に形成された貫通穴１２Ａを介して工具２００を差し込み、ネジ部材１６を側壁１２０に固定されたナット１７と螺合させる。このようにして、鏡１の上部を固定する固定部１０を、側壁１２０に取り付ける。なお、このとき、ネジ部材１５は、先端が固定部１０の内壁から突出しない位置まで後退させておく。そして、鏡押え部材１４は、鏡１と干渉しないように、第３部材１３に接触する位置まで押し込んでおく。
【００２６】
次に、図４Ｄに示すように、鏡１の下部を保持している固定部１０のネジ部材１５を回転させて、鏡押え部材１４を上方に移動させる。そして、鏡押え部材１４の押圧部１４Ａが鏡１を十分に押圧するまで、ネジ部材１５を回転させる。
【００２７】
次に、図４Ｅに示すように、鏡１の上部を保持している固定部１０のネジ部材１５を回転させて、鏡押え部材１４を下方に移動させる。そして、鏡押え部材１４の押圧部１４Ａが鏡１を十分に押圧するまで、ネジ部材１５を回転させる。以上により、鏡１を、かご室１００の側壁１２０に固定する作業が完了する。
【００２８】
なお、実施の形態１の手順では、鏡１の下部を固定する固定部１０に鏡１を挿入した後に、鏡１の上部を固定する固定部１０を側壁１２０に取り付けていたが、固定部１０の取り付け順序は、これに限るものではない。例えば、鏡１の４隅を固定する全ての固定部１０を側壁１２０に取り付けた後に、各固定部１０に、鏡１を横方向から挿入するようにしてもよい。このように、実施の形態１の手順で示した各作業の順序は、かご室１００の仕様及び作業の効率を考慮して、適宜変更可能である。
【００２９】
また、実施の形態１のかご室の鏡取付器具２は、図１で示したように、鏡１の上端部と下端部を挟持するように配置していたが、鏡取付器具２の配置は、これに限るものではない。例えば、図５に示すように、鏡１の下端部と、上部の両側部を挟持するように配置してもよい。これにより、鏡１を上下方向から各固定部１０に挿入することができる。
【００３０】
さらに、実施の形態１のかご室の鏡取付器具２には、図６及び図７に示すようなカバー部材１８を取り付けるとよい。カバー部材１８は、固定部１０の前面と、上下及び左右を覆う箱型に形成されている。カバー部材１８は、樹脂材料を用いて形成し、圧入またはネジ部材などによって、鏡取付器具２に固定する。ネジ部材を用いて固定する場合には、カバー部材１８の底部に切欠き部１８Ａを形成するとよい。そして、切欠き部１８Ａに、鏡押え部材１４を移動させるネジ部材１５を挿入して、ネジ部材１５を締め込むことにより、カバー部材１８を鏡取付器具２に固定してもよい。鏡取付器具２にカバー部材１８を取り付けることにより、かご室１００の乗客の服などが、鏡取付器具２に引っ掛かることを抑制することができる。
【００３１】
実施の形態２．
図８は、本発明の実施の形態２における鏡取付器具２を示す図である。実施の形態２の鏡取付器具２は、実施の形態１の鏡取付器具２とは、固定部１０の側壁１２０への取り付け方法が異なる。他の構成は、実施の形態１と同様である。
【００３２】
図８に示すように、実施の形態２では、鏡取付器具２の固定部１０の第１部材１１が、側壁１２０の外に取り付けられている。そして、鏡１は、固定部１０の内側において、鏡押え部材１４の押圧部１４Ａと、側壁１２０との間に配置されている。
【００３３】
実施の形態１では、側壁１２０の外側に、取付穴１２０Ａと同心にナット１７を配置していたが、実施の形態２では、ナット１７を使用しない。また、実施の形態１では、第１部材１１に貫通穴１１Ａを形成していたが、実施の形態２では、ネジ穴１１Ｂを形成している。そして、側壁１２０の内側から、ネジ部材１６を取付穴１２０Ａに挿入し、第１部材１１のネジ穴１１Ｂと螺合させることにより、固定部１０を側壁１２０に固定している。
【００３４】
次に、図９Ａ〜図９Ｄを用いて、実施の形態２における固定部１０の側壁１２０への取付手順を説明する。
【００３５】
なお、側壁１２０には、予め、取付穴１２０Ａに加えて、図９Ａに示すような開口部１２０Ｂを形成する。開口部１２０Ｂの形状は矩形が望ましい。開口部１２０Ｂの大きさは、固定部１０の第１部材１１を通過させることができる大きさであればよい。
【００３６】
まず、図９Ａに示すように、固定部１０の第１部材１１の端部を、開口部１２０Ｂに挿入する。次に、図９Ｂに示すように、固定部１０を回転させて、第１部材１１の全体を側壁１２０の外側に出す。
【００３７】
次に、図９Ｃに示すように、第１部材１１のネジ穴１１Ｂと、側壁１２０の取付穴１２０Ａとの位置を合わせる。次に、ネジ部材１６を、側壁１２０の取付穴１２０Ａに挿入する。そして、第２部材１２の貫通穴１２Ａから工具２００を挿入し、ネジ部材１６を第１部材１１のネジ穴１１Ｂに螺合させる。この後、図９Ｄに示すように、第３部材１３のネジ穴１３Ａにネジ部材１５を挿入して、固定部１０の側壁１２０への固定が完了する。
【００３８】
このように、実施の形態２の鏡取付器具２によれば、固定部１０の第１部材１１を、側壁１２０の開口部１２０Ｂを介して、側壁１２０の外側に配置している。そして、側壁１２０の内側から、側壁１２０の取付穴１２０Ａにネジ部材１６を挿入し、第１部材１１のネジ穴１１Ｂに螺合させることにより、固定部１０を側壁１２０に固定している。また、鏡１は、固定部１０の鏡押え部材１４と、側壁１２０との間に挟持している。これにより、鏡１の取り付け及び取り外しを、かご室１００の内側から行うことができる。したがって、鏡１を側壁１２０に取り付ける際に、側壁１２０の外側と内側を行き来する必要がなくなる。よって、側壁１２０への鏡１の取り付け及び取り外し作業の効率を向上させることができる。
【００３９】
さらに、実施の形態２の鏡取付器具２によれば、鏡１を側壁１２０に密着させることができる。これにより、鏡１の側壁１２０からの出っ張り量を削減することができる。よって、かご室１００の乗客の服などが、鏡１及び鏡取付器具２に引っ掛かることを抑制することができる。
【００４０】
また、実施の形態２の鏡取付器具２の配置は、実施の形態１の鏡取付器具２と同様に、図５に示すような配置としてもよい。そして、実施の形態１と同様に、カバー部材１８を取り付けてもよい。
【００４１】
なお、実施の形態１及び実施の形態２では、固定部１０の形状をＵ字状としていたが、固定部１０の形状は、これに限るものではない。例えば、図１０に示す実施の形態１の第１変形例、及び図１１に示す実施の形態２の第１変形例のように、Ｚ字型としてもよい。これらの変形例によっても、鏡１を側壁１２０に密着させることができる。
【００４２】
さらに、図１２に示す実施の形態１の第２変形例のように、固定部１０をブロック状に形成してもよい。この変形例によっても、鏡１を側壁１２０に密着させることができる。また、ネジ部材１５の頭部を固定部１０によって覆うことができ、鏡取付器具２の意匠性を向上させることができる。
【符号の説明】
【００４３】
１  鏡、１Ａ  鏡取付穴、２  鏡取付器具、１０  固定部、１１  第１部材、１１Ａ  貫通穴、１１Ｂ  ネジ穴（第１のネジ穴）、１２  第２部材、１２Ａ  貫通穴、１２Ｂ  ガイド部、１３  第３部材、１３Ａ  ネジ穴（第２のネジ穴）、１４  鏡押え部材、１４Ａ  押圧部、１４Ｂ  傾斜面、１４Ｃ  凸部、１５  ネジ部材（移動機構、第２のネジ部材）、１６  ネジ部材（第１のネジ部材）、１７  ナット、１８  カバー部材、１００  かご室、１２０  側壁、１２０Ａ  取付穴、１２０Ｂ  開口部、２００  工具。
【図１】
2019087399.tif 000003
【図２】
2019087399.tif 000004
【図３】
2019087399.tif 000005
【図４Ａ】
2019087399.tif 000006
【図４Ｂ】
2019087399.tif 000007
【図４Ｃ】
2019087399.tif 000008
【図４Ｄ】
2019087399.tif 000009
【図４Ｅ】
2019087399.tif 000010
【図５】
2019087399.tif 000011
【図６】
2019087399.tif 000012
【図７】
2019087399.tif 000013
【図８】
2019087399.tif 000014
【図９Ａ】
2019087399.tif 000015
【図９Ｂ】
2019087399.tif 000016
【図９Ｃ】
2019087399.tif 000017
【図９Ｄ】
2019087399.tif 000018
【図１０】
2019087399.tif 000019
【図１１】
2019087399.tif 000020
【図１２】
2019087399.tif 000021
【国際調査報告】
2019087399.tif 000022
2019087399.tif 000023
2019087399.tif 000024
2019087399.tif 000025